(57)【要約】【課題】データ処理により分解能を向上させることができるレーダー装置を提供する。【解決手段】レーダー装置１００は、レーダー波送信部１１０、レーダー波受信部１２０および解析処理部１３０を備える。解析処理部１３０は、レーダー波受信部１２０において受信したデータを解析し、物標の振幅データと速度データを所定の座標上にセルごとに記憶し、これらのデータに基づいて速度を有する座標上の注目セル１４０の振幅データを処理する。解析処理部１３０は、注目セル１４０を挟んで注目セル１４０に近接する近接セル１４１，１４２間の速度差の絶対値が閾値以上であるか否かを判定し、閾値以上であれば注目セル１４０の振幅を低下させる処理を行う。【選択図】図１
2014142088.tif 000002
【特許請求の範囲】
【請求項１】
方位方向に回転しながら所定間隔でレーダー波を送信するレーダー波送信部と、
物標において反射された前記レーダー波を受信するレーダー波受信部と、
前記レーダー波受信部において受信したレーダー波データを解析し、前記物標の振幅データと速度データまたは前記物標の振幅データと加速度データを所定の座標上にセルごとに記憶し、これらのデータに基づいて速度または加速度を有する前記座標上の注目セルの振幅データを処理する解析処理部と、
前記解析処理部で処理された後の振幅データをレーダー表示データにして出力するレーダー表示データ出力部と、を備え、
前記解析処理部は、前記注目セルを挟んで前記注目セルに近接する近接セル間の速度差または加速度差の絶対値が閾値以上であるか否かを判定し、閾値以上であれば前記注目セルの振幅データを低下させる処理を行う、レーダー装置。
【請求項２】
前記解析処理部が前記振幅データを低下させる処理は、前記振幅データをゼロにする処理である、請求項１に記載のレーダー装置。
【請求項３】
前記解析処理部は、前記注目セルの振幅データが閾値以上であるときに前記判定を行う、請求項１又は２に記載のレーダー装置。
【請求項４】
前記近接セルは、前記注目セルを中心に第１方向およびこれに直交する第２方向に近接するセルである、請求項１〜３のいずれかに記載のレーダー装置。
【請求項５】
前記解析処理部は、前記解析処理部の解析処理後に各セルに対して画像データの膨張・収縮の画像処理を行う、請求項１〜４のいずれか１項に記載のレーダー装置。
【発明の詳細な説明】
【技術分野】
【０００１】
本発明は、船舶等に搭載されるレーダー装置に関する。
【背景技術】
【０００２】
船舶等に搭載されるレーダー装置においては、視認性や物標追尾などのために分解能を向上することが重要である。分解能は、方位方向および距離方向について向上することができる。方位方向については、アンテナの大型化やレーダー送信波の高周波化などによってビーム幅を狭くする方法がある。距離方向については、レーダー送信波を広帯域化してパルス幅を狭くするなどの方法がある（例えば、特許文献１参照。）。
【先行技術文献】
【特許文献】
【０００３】
【特許文献１】特開平１０−０６８７７１号公報
【発明の概要】
【発明が解決しようとする課題】
【０００４】
しかしながら、アンテナを大型化すると、当該アンテナを搭載できる船が限られ、また、コストの増大を招来する。さらに、レーダー送信波の高周波化や広帯域化は、電波法により使用できる周波数帯域が決められているため、限界がある。【０００５】
そこで、本発明の目的は、上記課題に鑑み、データ処理により分解能を向上させることができるレーダー装置を提供することにある。
【課題を解決するための手段】
【０００６】
本発明に係るレーダー装置は、レーダー波送信部、レーダー波受信部、解析処理部およびレーダー表示データ出力部を備える。【０００７】
解析処理部は、レーダー波受信部において受信したレーダー波データを解析し、物標の振幅データと速度データまたは物標の振幅データと加速度データを所定の座標上にセルごとに記憶し、これらのデータに基づいて速度または加速度を有する座標上の注目セルの振幅データを処理する。【０００８】
すなわち、解析処理部は、注目セルを挟んで注目セルに近接する近接セル間の速度差または加速度差の絶対値が閾値以上であるか否かを判定し、閾値以上であれば注目セルの振幅データを低下させる処理を行う。【０００９】
この処理では、アンテナの大型化、レーダー送信波の高周波化およびレーダー送信波の広帯域化をすることなく画像データ(受信データ）をデータ処理することで、近接する複数の物標をそれぞれ分離することができる。したがって、システムの規模に左右されることなく、どのようなシステムにおいてもこの処理を適用することができる。また、電波法等の各法律の規制の枠組みにとらわれることなく、この処理を適用することができる。
【発明の効果】
【００１０】
本発明に係るレーダー装置は、システムを大型化することなく分解能を向上させることができる。
【図面の簡単な説明】
【００１１】
【図１】本発明の第１実施形態に係るレーダー装置の主要な構成を示すブロック図である。
【図２】本発明の第1実施形態に係る解析処理部の具体的な構成を示すブロック図である。
【図３】本発明の第１実施形態に係る座標上における注目セルおよび近接セルを示す図である。
【図４】本発明の第１実施形態に係るレーダー装置に備えられる制御部の処理内容を示すフローチャートである。
【図５】本発明の第１実施形態に係る解析処理部の具体的な処理内容を示すブロック図である。
【図６】本発明の第２実施形態に係るレーダー装置に備えられる制御部の処理内容を示すフローチャートである。
【図７】本発明の第２実施形態に係る解析処理部の具体的な処理内容を示すブロック図である。
【図８】本発明の第３実施形態に係る座標上における注目セルおよび近接セルを示す図である。
【図９】本発明の第３実施形態に係るレーダー装置に備えられる制御部の処理内容を示すフローチャートである。
【図１０】本発明の第３実施形態に係る解析処理部の処理内容を示すブロック図である。
【図１１】本発明の第４実施形態に係る解析処理部の具体的な構成を示すブロック図である。
【図１２】本発明の第４実施形態に係るレーダー装置に備えられる制御部の制御内容を示すフローチャートである。
【発明を実施するための形態】
【００１２】
以下、本発明の実施形態に係るレーダー装置を、図面を参照しつつ詳細に説明する。
【００１３】
まず、本発明の第１実施形態について説明する。
【００１４】
図１は、レーダー装置の主要な構成を示すブロック図である。
【００１５】
レーダー装置１００は、アンテナ１０１、切替部１０２、レーダー波送信部（以下、送信部）１１０、レーダー波受信部（以下、受信部）１２０および解析処理部１３０、レーダー表示部１５０を備える。これらの各要素からなるレーダー装置は、周知の一般的構成である。
【００１６】
アンテナ１０１は、所定間隔でレーダー波を送信するレーダー波送信機能を有する送信部１１０、および物標から反射されたレーダー波を受信するレーダー波受信機能を有する受信部１２０に、切替部１０２により順次切り替えて接続される。
【００１７】
解析処理部１３０は、受信部１２０に接続されている。解析処理部１３０は、受信部１２０において受信したレーダー波の受信データを解析し、物標の振幅と速度をぞれぞれ別の記憶部の所定の座標上にセルごとに記憶し、これらのデータに基づいて速度を有する座標上の注目セルの振幅データを処理する。
【００１８】
解析処理部１３０にはレーダー表示部１５０が接続されている。レーダー表示部１５０は、解析処理部１３０で処理された後の振幅データをレーダー表示データにしてモニター上に表示する。なお、受信部１２０は、アンテナ１０１で受信した１スキャン以内の一定時間のデータを一時記憶する受信バッファを備えている。この受信バッファは、解析処理部１３０に設けられていても良い。
【００１９】
図２は、解析処理部の具体的な構成を示すブロック図である。図３は、記憶部の座標上における注目セルおよび近接セルを示す図である。ここでは、単位画素をセルと称する。
【００２０】
解析処理部１３０は、速度算出部１３１、データ記憶部１３２、振幅低下判定部１３５およびデータ補正部１３７を備える。
【００２１】
速度算出部１３１は、受信部１２０の受信バッファに接続されている。速度算出部１３１は、受信部１２０において受信したデータ(レーダー波のエコーデータ）を解析して、物標の速度を算出する。速度の算出方法として、例えば、高速フーリエ変換を用いたアルゴリズムやパルスペア法が挙げられる。
【００２２】
データ記憶部１３２は、振幅データ記憶部１３３および速度データ記憶部１３４を備える。各記憶部は、図３に示す座標が設定されている。振幅データ記憶部１３３は、受信部１２０に接続されている。振幅データ記憶部１３３は、受信部１２０において受信したデータの振幅を記憶セル（以下、セル）毎に記憶する。速度データ記憶部１３４は、速度算出部１３１に接続されている。速度データ記憶部１３４は、速度算出部１３１において算出された速度を記憶セル（以下、セル）毎に記憶する。振幅データ記憶部１３３の各セルと、速度データ記憶部１３４の各セルは相互に座標位置で対応している。なお、この実施形態では、振幅データ記憶部１３３及び速度データ記憶部１３４は、ともに、Ｘ軸をスイープ角度、Ｙ軸を距離とする座標に設定されている。
【００２３】
振幅低下判定部１３５は、速度データ記憶部１３４に接続されている。振幅低下判定部１３５は、速度データ記憶部１３４上の注目セル１４０を挟んで注目セル１４０に近接する近接セル１４１，１４２間の速度差の絶対値が閾値以上であるか否かを判定する。なお、近接セル１４１，１４２は、図示するように注目セル１４０に隣接しているが、注目セル１４０から数セル分のデータを平均処理したものを仮想セルとして扱うことも可能である。
【００２４】
データ補正部１３７は、振幅低下判定部１３５に接続されている。データ補正部１３７は、振幅低下判定部１３５での判定結果に基づいて、近接セル１４１，１４２間の速度差の絶対値が閾値以上であれば、振幅データ記憶部１３３上の注目セル１４０の振幅を低下させる処理を行う。この場合、通常は注目セル１４０の振幅の低下量が大きいほど、分解能が向上する。以下の説明においては、注目セル１４０の振幅を低下させる処理を注目セル１４０の振幅を０にする処理とする。
【００２５】
図４は、レーダー装置に備えられる制御部の処理内容を示すフローチャートである。なお、各図においては、制御部を省略している。
【００２６】
送信部１１０から送信された１スイープ分又は適当な量のレーダー波を受信すると（Ｓ１１０）、制御部は、物標において反射された受信データ（エコーデータ）を処理する。すなわち、解析処理部１３０は、受信データからセル毎に振幅データを判定して振幅データ記憶部１３３に記憶し、セル毎に速度データを判定して速度データ記憶部１３４に記憶する。そして、それらのデータに対して以下の解析と処理を行う。
【００２７】
制御部は、速度データ記憶部１３４を参照し、注目セル１４０毎に、近接セル１４１，１４２間の速度差を求める。そして、その絶対値が閾値以上であると（Ｓ１３０）、振幅データ記憶部１３３上の注目セル１４０の振幅を０にする処理を行う（Ｓ１４０）。注目セル１４０を移動させながら全てのセルに対してこの処理を行う（Ｓ１５０）。
【００２８】
図５は、解析処理部の具体的な処理内容を示すブロック図である。
【００２９】
まず、解析処理部１３０は、速度データ記憶部１３４を参照し、注目セル１４０に近接する近接セル１４１と近接セル１４２との速度差を算出する。次に、当該速度差の絶対値を算出し、近接セル１４１，１４２間の速度差の絶対値が閾値以上であれば、注目セル１４０のデータをＴｒｕｅと判定する。この処理を全セルに対して繰り返し、その後に、Ｔｒｕｅである注目セル１４０の振幅を０とする処理を行う。
【００３０】
以上の処理を行う物理的意義は以下の通りである。
【００３１】
すなわち、注目セルに対して近接するセル間の速度差が一定以上（閾値以上）であれば、近接する各セルは別の物標である可能性が高くなる。そこで、この場合に、注目セルの振幅をゼロにして近接する各セルを振幅データ記憶部１３３上で分離する（表示データ上分離する）ことが分解能を高めることに効果的となる。
【００３２】
本実施形態の処理では、アンテナ１０１の大型化、レーダー送信波の高周波化および広帯域化をすることなく、近接する複数の物標を表示データ上それぞれに分離することができる。これらはデータ処理で行うことが出来るため、システムの規模に左右されることなく、どのようなシステムにおいてもこの処理を適用することができる。また、電波法等の各法律の規制の枠組みにとらわれることなく、この処理を適用することができる。
【００３３】
次に、本発明の第２実施形態について説明する。なお、本実施形態以降の各実施形態においては、第１実施形態で説明した内容を適宜省略する。
【００３４】
図６は、レーダー装置に備えられる制御部の処理内容を示すフローチャートである。
【００３５】
送信部１１０から送信された１スイープ分又は適当な量のレーダー波を受信すると（Ｓ２１０）、制御部は、物標において反射された受信データ（エコーデータ）を処理する。すなわち、解析処理部１３０は、受信データからセル毎に振幅データを判定して振幅データ記憶部１３３に記憶し、セル毎に速度データを判定して速度データ記憶部１３４に記憶する。そして、それらのデータに対して以下の解析と処理を行う。
【００３６】
制御部は、振幅データ記憶部１３３を参照し、注目セル１４０の振幅が閾値以上であるか否かを判断する（Ｓ２３０）。そして、振幅が閾値以上である注目セル１４０に対して、速度データ記憶部１３４を参照の上、注目セル１４０毎に、近接セル１４１，１４２間の速度差を求める。そして、その絶対値が閾値以上であると（Ｓ２４０）、振幅データ記憶部１３３上の注目セル１４０の振幅を０にする処理を行う（Ｓ２５０）。注目セル１４０を移動させながら全てのセルに対してこの処理を行う（Ｓ２６０）。
【００３７】
図７は、解析処理部の具体的な処理内容を示すブロック図である。
【００３８】
解析処理部１３０は、速度データ記憶部１３４を参照し、注目セル１４０に近接する近接セル１４１と近接セル１４２との速度差を算出し、近接セル１４１，１４２間の速度差の絶対値が閾値以上であれば、注目セル１４０のデータをＴｒｕｅと判定する（第１条件）。一方、振幅データ記憶部１３３を参照し、注目セル１４０の振幅が閾値以上であるか否かを判断し、閾値以上であれば、注目セル１４０のデータをＴｒｕｅと判定する（第２条件）。注目セル１４０について第１条件と第２条件が満たされると、この注目セル１４０の振幅を０とする処理を行う。
【００３９】
以上の処理を行う物理的意義は以下の通りである。
【００４０】
すなわち、注目セルに対して近接するセル間の速度差が一定以上（閾値以上）であって、且つ、注目セルの振幅が閾値以上であれば、近接する各セルは別の物標である可能性が高くなる。そこで、この場合に、注目セルの振幅をゼロにして近接する各セルを振幅データ記憶部１３３上で分離する（表示データ上分離する）ことが分解能を高めることに効果的となる。なお、第１条件が満たされるセルに対してのみ、第２条件の判定を行うか、第２条件が満たされるセルに対してのみ、第１条件の判定を行うようしても良い。このような処理で全体の処理効率を向上することができる。
【００４１】
次に、本発明の第３実施形態について説明する。
【００４２】
図８は、座標上における注目セルおよび近接セルを示す図である。
【００４３】
本実施形態における近接セルは、注目セル１４０を中心に第１方向およびこれに直交する第２方向に近接するセルである。本実施形態では、第１方向の近接セルは近接セル１４１，１４２とし、第２方向の近接セルは近接セル１４３，１４４とする。
【００４４】
図９は、レーダー装置に備えられる制御部の処理内容を示すフローチャートである。
【００４５】
送信部１１０から送信された１スイープ分又は適当な量のレーダー波を受信すると（Ｓ３１０）、制御部は、物標において反射された受信データ（エコーデータ）を処理する。すなわち、解析処理部１３０は、受信データからセル毎に振幅データを判定して振幅データ記憶部１３３に記憶し、セル毎に速度データを判定して速度データ記憶部１３４に記憶する。そして、それらのデータに対して以下の解析と処理を行う。
【００４６】
制御部は、速度データ記憶部１３４を参照し、注目セル１４０毎に、第１方向の近接セル１４１，１４２間の速度差と、第２方向の近接セル１４３，１４４間の速度差とを求める。そして、それらの絶対値のいずれかが閾値以上であると（Ｓ３３０、Ｓ３５０）、振幅データ記憶部１３３上の注目セル１４０の振幅を０にする処理を行う（Ｓ３４０）。注目セル１４０を移動させながら全てのセルに対してこの処理を行う（Ｓ３６０）。
【００４７】
図１０は、解析処理部の処理内容を示すブロック図である。
【００４８】
解析処理部１３０は、速度データ記憶部１３４を参照し、注目セル１４０に近接する第１方向の近接セル１４１と近接セル１４２との速度差、および第２方向の近接セル１４３と近接セル１４４との速度差を算出し、それらのいずれかの速度差の絶対値が閾値以上であれば、注目セル１４０のデータをＴｒｕｅと判定する（第１条件）。注目セル１４０について第１条件が満たされると、この注目セル１４０の振幅を０とする処理を行う。
【００４９】
以上の処理を行う物理的意義は、本発明の第１実施形態と同様であるが、スイープ方向または距離方向に対応する近接セル間の速度差が閾値以上であれば、その近接セルを分離することになるため、分解能をより向上させることができる。
【００５０】
次に、本発明の第４実施形態について説明する。
【００５１】
図１１は、解析処理部の具体的な構成を示すブロック図である。図１２は、レーダー装置に備えられる制御部の制御内容を示すフローチャートである。
【００５２】
解析処理部１３０Ａは、第１〜第３実施形態の構成に対して消去エリア補正部１３６をさらに備える。消去エリア補正部１３６は、各セルに対して画像処理として良く使われる膨張・収縮処理を行う（Ｓ４４０）。画像データが二値化された白黒画像データである場合、膨張処理とは、注目セルの周辺に１セルでも白い画素があれば白のデータに置き換える処理をいい、収縮処理とは、注目セルの周辺に１セルでも黒い画素があれば黒のデータに置き換える処理をいう。画像データが階調のある画像データである場合、例えば、膨張処理では、注目セルの近傍の最大輝度値を注目セルの輝度値に置き換え、収縮処理では、注目セルの近傍の最小輝度値を注目セルの輝度値に置き換える。このような処理を適切に行うことでノイズを除去する。なお、画像処理のためのスループットの低下がなければ、ノイズ除去のために上記膨張・収縮処理以外の画像処理を追加的に或いは代替的に行っても良い。
【００５３】
以上の実施形態では、受信データから物標の速度データを求めるようにしたが、速度データに代えて加速度データを求めるようにしても良い。注目セルに対する近接セルの加速度が異なる場合でも、それらの近接セルの物標は異なるものと考えられるからである。この場合、上記各実施形態では、速度算出部を加速度算出部とし、速度データ記憶部を加速度データ記憶部とする。
【００５４】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５５】
１００  −レーダー装置
１１０  −レーダー波送信部
１２０  −レーダー波受信部
１３０  −解析処理部
１３０Ａ−解析処理部
１４０  −注目セル
１４１  −近接セル
１４２  −近接セル
１４３  −近接セル
１４４  −近接セル
【図１】
2014142088.tif 000003
【図２】
2014142088.tif 000004
【図３】
2014142088.tif 000005
【図４】
2014142088.tif 000006
【図５】
2014142088.tif 000007
【図６】
2014142088.tif 000008
【図７】
2014142088.tif 000009
【図８】
2014142088.tif 000010
【図９】
2014142088.tif 000011
【図１０】
2014142088.tif 000012
【図１１】
2014142088.tif 000013
【図１２】
2014142088.tif 000014
【国際調査報告】
2014142088.tif 000015
2014142088.tif 000016
2014142088.tif 000017
2014142088.tif 000018